【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の種類のトラフィックをゲートウェイアクセスポイントから局へと直接送信することと、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信することと、
低スループットトラフィックを前記ゲートウェイアクセスポイントにおいて長距離用の無線リンクを通じて前記局から直接受信することと、
を備える方法。
【請求項２】
前記第１の種類のトラフィックを送信することは、低スループットトラフィックを送信することを備え、
前記第２の種類のトラフィックを送信することは、高スループットトラフィックを送信することを備える、請求項１に記載の方法。
【請求項３】
前記第１の種類のトラフィックを送信することは、長距離用の無線リンクを通じて前記第１の種類のトラフィックを送信することを備える、請求項１に記載の方法。
【請求項４】
前記第２の種類のトラフィックを送信することは、少なくとも１つの短距離用の無線リンクを通じて前記第２の種類のトラフィックを送信することを備える、請求項１に記載の方法。
【請求項５】
高スループットトラフィックを前記ゲートウェイアクセスポイントにおいて前記少なくとも１つのリレーアクセスポイントを介して少なくとも１つの短距離用の無線リンクを通じて前記局から受信すること、
をさらに備える、請求項１に記載の方法。
【請求項６】
ワイヤレス通信のための方法であって、
第１の種類のトラフィックを局においてゲートウェイアクセスポイントから直接受信することと、ここで、前記局によって受信されるビーコン信号が前記第１の種類のトラフィックの一部として受信される、
第２の種類のトラフィックを前記局において前記ゲートウェイアクセスポイントから少なくとも１つのリレーアクセスポイントを介して受信することと、
低スループットトラフィックを前記局から長距離用の無線リンクを通じて前記ゲートウェイアクセスポイントへと直接送信することと、
を備える方法。
【請求項７】
前記第１の種類のトラフィックを受信することは、低スループットトラフィックを受信することを備え、
前記第２の種類のトラフィックを受信することは、高スループットトラフィックを受信することを備える、請求項６に記載の方法。
【請求項８】
前記第１の種類のトラフィックを受信することは、長距離用の無線リンクを通じて前記第１の種類のトラフィックを受信することを備える、請求項６に記載の方法。
【請求項９】
前記第２の種類のトラフィックを受信することは、少なくとも１つの短距離用の無線リンクを通じて前記第２の種類のトラフィックを受信することを備える、請求項６に記載の方法。
【請求項１０】
前記少なくとも１つの短距離用の無線リンクは、５ＧＨｚ帯リンクを備える、請求項９に記載の方法。
【請求項１１】
高スループットトラフィックを前記局から前記少なくとも１つのリレーアクセスポイントを介して少なくとも１つの短距離用の無線リンクを通じて前記ゲートウェイアクセスポイントへと送信すること、
をさらに備える、請求項６に記載の方法。
【請求項１２】
ワイヤレス通信のためのシステムであって、
局と、
前記局に通信可能に結合されたゲートウェイアクセスポイントと、ここで、前記ゲートウェイアクセスポイントは、第１の種類のトラフィックを長距離用の無線リンクを通じて前記局へと直接送信するように構成され、前記局へと送信されるビーコン信号が、前記第１の種類のトラフィックの一部として送信され、前記ゲートウェイアクセスポイントは、低スループットトラフィックを長距離用の無線リンクを通じて前記局から直接受信するようにさらに構成される、
前記ゲートウェイアクセスポイントおよび前記局に通信可能に結合された少なくとも１つのリレーアクセスポイントと、ここで、前記ゲートウェイアクセスポイントは、第２の種類のトラフィックを前記少なくとも１つのリレーアクセスポイントを介して少なくとも１つの短距離用の無線リンクを通じて前記局へと送信するように構成されている、
を備えるシステム。
【請求項１３】
ワイヤレス通信のための装置であって、
第１の種類のトラフィックをゲートウェイアクセスポイントから局へと直接送信するための手段と、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信するための手段と、
低スループットトラフィックを前記ゲートウェイアクセスポイントにおいて長距離用の無線リンクを通じて前記局から直接受信するための手段と、
を備える装置。
【請求項１４】
ワイヤレス通信のための装置であって、
第１の種類のトラフィックを局においてゲートウェイアクセスポイントから直接受信するための手段と、ここで、前記局によって受信されるビーコン信号が前記第１の種類のトラフィックの一部として受信される、
第２の種類のトラフィックを前記局において前記ゲートウェイアクセスポイントから少なくとも１つのリレーアクセスポイントを介して受信するための手段と、
低スループットトラフィックを前記局から長距離用の無線リンクを通じて前記ゲートウェイアクセスポイントへと直接送信するための手段と、
を備える装置。
【請求項１５】
請求項１から請求項５または請求項６から請求項１１のいずれか一項に記載の方法を実行するための命令を備える、コンピュータプログラム。
【手続補正２】
【補正対象書類名】明細書
【補正対象項目名】０１４６
【補正方法】変更
【補正の内容】
【０１４６】
[0157]  本発明のこれまでの説明は、本発明の製作または使用を当業者にとって可能にするために提示されている。本開示に対する種々の変更が、当業者にとって容易に明らかであり、本明細書で定められる一般的な原理は、本発明の技術的思想または技術的範囲から離れることなく他の変形形態にも適用され得る。本明細書の全体をとおして、用語「例」または「例示的な」は、一例または一事例を示しており、言及される例についていかなる選好も意味せず、あるいは必要としない。したがって、本発明は、本明細書に記載の例および設計に限られるものではなく、本明細書に開示の原理および新規な特徴に矛盾しない最も広い範囲が与えられるべきである。
以下に本願の出願当初の特許請求の範囲に記載された発明を付記する。
[Ｃ１]  ワイヤレス通信のための方法であって、
第１の種類のトラフィックをゲートウェイアクセスポイントから局へと直接送信することと、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信することと、
を備える方法。
[Ｃ２]  前記第１の種類のトラフィックを送信することは、低スループットトラフィックを送信することを備え、
前記第２の種類のトラフィックを送信することは、高スループットトラフィックを送信することを備える、Ｃ１に記載の方法。
[Ｃ３]  前記第１の種類のトラフィックを送信することは、長距離用の無線リンクを通じて前記第１の種類のトラフィックを送信することを備える、Ｃ１に記載の方法。
[Ｃ４]  前記長距離用の無線リンクは、２ＧＨｚ帯リンクまたはｓｕｂ−１ＧＨｚ帯リンクを備える、Ｃ３に記載の方法。
[Ｃ５]  前記第２の種類のトラフィックを送信することは、少なくとも１つの短距離用の無線リンクを通じて前記第２の種類のトラフィックを送信することを備える、Ｃ１に記載の方法。
[Ｃ６]  前記少なくとも１つの短距離用の無線リンクは、５ＧＨｚ帯リンクを備える、Ｃ５に記載の方法。
[Ｃ７]  前記第１の種類のトラフィックを送信することは、
低バーストのブロードキャストトラフィック、
低バーストのマルチキャストトラフィック、および
低バーストのユニキャストトラフィック
のうちの１つまたは複数を送信することを備える、Ｃ１に記載の方法。
[Ｃ８]  前記第２の種類のトラフィックを送信することは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を送信することを備える、Ｃ１に記載の方法。
[Ｃ９]  低スループットトラフィックを前記ゲートウェイアクセスポイントにおいて長距離用の無線リンクを通じて前記局から直接受信することと、
高スループットトラフィックを前記ゲートウェイアクセスポイントにおいて前記少なくとも１つのリレーアクセスポイントを介して少なくとも１つの短距離用の無線リンクを通じて前記局から受信することと、
をさらに備える、Ｃ１に記載の方法。
[Ｃ１０]  ワイヤレス通信のための方法であって、
第１の種類のトラフィックを局においてゲートウェイアクセスポイントから直接受信することと、ここで、前記局によって受信されるビーコン信号が前記第１の種類のトラフィックの一部として受信される、
第２の種類のトラフィックを前記局において前記ゲートウェイアクセスポイントから少なくとも１つのリレーアクセスポイントを介して受信することと、
を備える方法。
[Ｃ１１]  前記第１の種類のトラフィックを受信することは、低スループットトラフィックを受信することを備え、
前記第２の種類のトラフィックを受信することは、高スループットトラフィックを受信することを備える、Ｃ１０に記載の方法。
[Ｃ１２]  前記第１の種類のトラフィックを受信することは、長距離用の無線リンクを通じて第１の種類のトラフィックを受信することを備える、Ｃ１０に記載の方法。
[Ｃ１３]  前記長距離用の無線リンクは、２ＧＨｚ帯リンクまたはｓｕｂ−１ＧＨｚ帯リンクを備える、Ｃ１２に記載の方法。
[Ｃ１４]  前記第２の種類のトラフィックを受信することは、少なくとも１つの短距離用の無線リンクを通じて第２の種類のトラフィックを受信することを備える、Ｃ１０に記載の方法。
[Ｃ１５]  前記少なくとも１つの短距離用の無線リンクは、５ＧＨｚ帯リンクを備える、Ｃ１４に記載の方法。
[Ｃ１６]  前記第１の種類のトラフィックを受信することは、
低バーストのブロードキャストトラフィック、
低バーストのマルチキャストトラフィック、および
低バーストのユニキャストトラフィック
のうちの１つまたは複数を受信することを備える、Ｃ１０に記載の方法。
[Ｃ１７]  前記第２の種類のトラフィックを受信することは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を受信することを備える、Ｃ１０に記載の方法。
[Ｃ１８]  低スループットトラフィックを前記局から長距離用の無線リンクを通じて前記ゲートウェイアクセスポイントへと直接送信することと、
高スループットトラフィックを前記局から前記少なくとも１つのリレーアクセスポイントを介して少なくとも１つの短距離用の無線リンクを通じて前記ゲートウェイアクセスポイントへと送信することと、
をさらに備える、Ｃ１０に記載の方法。
[Ｃ１９]  ワイヤレス通信のためのデバイスであって、
第１の種類のトラフィックを局へと直接送信することと、ここで前記局へと送信されるビーコン信号は前記第１の種類のトラフィックの一部として送信される、
第２の種類のトラフィックを前記局へと少なくとも１つのリレーアクセスポイントを介して送信することと、
を行うように構成されたゲートウェイアクセスポイント
を備えるデバイス。
[Ｃ２０]  前記ゲートウェイアクセスポイントは、前記第１の種類のトラフィックを２ＧＨｚ帯リンクまたはｓｕｂ−１ＧＨｚ帯リンクを通じて前記局へと直接送信するように構成されている、Ｃ１９に記載のデバイス。
[Ｃ２１]  前記ゲートウェイアクセスポイントは、前記第２の種類のトラフィックを少なくとも１つの５ＧＨｚ帯リンクを通じて前記少なくとも１つのリレーアクセスポイントへと送信するように構成されている、Ｃ１９に記載のデバイス。
[Ｃ２２]  前記第１の種類のトラフィックは、
低バーストのブロードキャストトラフィック、
低バーストのマルチキャストトラフィック、および
低バーストのユニキャストトラフィック
のうちの１つまたは複数を備え、
前記第２の種類のトラフィックは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を備える、Ｃ１９に記載のデバイス。
[Ｃ２３]  局を備えるワイヤレス通信のためのデバイスであって、前記局が、
第１の種類のトラフィックをゲートウェイアクセスポイントから直接受信することと、ここで、前記局によって受信されるビーコン信号は前記第１の種類のトラフィックの一部として受信される、
第２の種類のトラフィックを前記ゲートウェイアクセスポイントから少なくとも１つのリレーアクセスポイントを介して受信することと、
を行うように構成された、デバイス。
[Ｃ２４]  前記局は、前記第１の種類のトラフィックを２ＧＨｚ帯リンクまたはｓｕｂ−１ＧＨｚ帯リンクを通じて前記ゲートウェイアクセスポイントから直接受信するように構成されている、Ｃ２３に記載のデバイス。
[Ｃ２５]  前記局は、前記第２の種類のトラフィックを前記少なくとも１つのリレーアクセスポイントを介して少なくとも１つの５ＧＨｚ帯リンクを通じて前記ゲートウェイアクセスポイントから受信するように構成されている、Ｃ２３に記載のデバイス。
[Ｃ２６]  前記第１の種類のトラフィックは、
低バーストのブロードキャストトラフィック、
低バーストのマルチキャストトラフィック、および
低バーストのユニキャストトラフィック
のうちの１つまたは複数を備え、
前記第２の種類のトラフィックは、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を備える、Ｃ２３に記載のデバイス。
[Ｃ２７]  ワイヤレス通信のためのシステムであって、
局と、
前記局に通信可能に結合されたゲートウェイアクセスポイントと、ここで、前記ゲートウェイアクセスポイントは、第１の種類のトラフィックを長距離用の無線リンクを通じて前記局へと直接送信するように構成され、前記局へと送信されるビーコン信号が、前記第１の種類のトラフィックの一部として送信される、
前記ゲートウェイアクセスポイントおよび前記局に通信可能に結合された少なくとも１つのリレーアクセスポイントと、ここで、前記ゲートウェイアクセスポイントは、第２の種類のトラフィックを前記少なくとも１つのリレーアクセスポイントを介して少なくとも１つの短距離用の無線リンクを通じて前記局へと送信するように構成されている、
を備える、システム。
[Ｃ２８]  ワイヤレス通信のための装置であって、
第１の種類のトラフィックをゲートウェイアクセスポイントから局へと直接送信するための手段と、ここで、前記局へと送信されるビーコン信号が前記第１の種類のトラフィックの一部として送信される、
第２の種類のトラフィックを前記ゲートウェイアクセスポイントから前記局へと少なくとも１つのリレーアクセスポイントを介して送信するための手段と、
を備える装置。
[Ｃ２９]  前記第１の種類のトラフィックを送信するための手段は、低スループットトラフィックを送信するための手段を備え、
前記第２の種類のトラフィックを送信するための手段は、高スループットトラフィックを送信するための手段を備える、Ｃ２８に記載の装置。
[Ｃ３０]  前記第１の種類のトラフィックを送信するための手段は、第１の種類のトラフィックを２ＧＨｚ帯リンクまたはｓｕｂ−１ＧＨｚ帯リンクを通じて送信するための手段を備える、Ｃ２８に記載の装置。
[Ｃ３１]  前記第２の種類のトラフィックを送信するための手段は、第２の種類を少なくとも１つの５ＧＨｚ帯リンクを通じて送信するための手段を備える、Ｃ２８に記載の装置。
[Ｃ３２]  前記第１の種類のトラフィックを送信するための手段は、
低バーストのブロードキャストトラフィック、
低バーストのマルチキャストトラフィック、および
低バーストのユニキャストトラフィック
のうちの１つまたは複数を送信するための手段を備え、
前記第２の種類のトラフィックを送信するための手段は、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を送信するための手段を備える、Ｃ２８に記載の装置。
[Ｃ３３]  ワイヤレス通信のための装置であって、
第１の種類のトラフィックを局においてゲートウェイアクセスポイントから直接受信するための手段と、ここで、前記局によって受信されるビーコン信号は前記第１の種類のトラフィックの一部として受信される、
第２の種類のトラフィックを前記局において前記ゲートウェイアクセスポイントから少なくとも１つのリレーアクセスポイントを介して受信するための手段と、
を備える装置。
[Ｃ３４]  前記第１の種類のトラフィックを受信するための手段は、低スループットトラフィックを受信するための手段を備え、
前記第２の種類のトラフィックを受信するための手段は、高スループットトラフィックを受信するための手段を備える、Ｃ３３に記載の装置。
[Ｃ３５]  前記第１の種類のトラフィックを受信するための手段は、第１の種類のトラフィックを２ＧＨｚ帯リンクまたはｓｕｂ−１ＧＨｚ帯リンクを通じて受信するための手段を備える、Ｃ３３に記載の装置。
[Ｃ３６]  前記第２の種類のトラフィックを受信するための手段は、第２の種類を少なくとも１つの５ＧＨｚ帯リンクを通じて受信するための手段を備える、Ｃ３３に記載の装置。
[Ｃ３７]  前記第１の種類のトラフィックを受信するための手段は、
低バーストのブロードキャストトラフィック、
低バーストのマルチキャストトラフィック、および
低バーストのユニキャストトラフィック
のうちの１つまたは複数を受信するための手段を備え、
前記第２の種類のトラフィックを受信するための手段は、
高バーストのユニキャストデータトラフィック、
高バーストのブロードキャストデータトラフィック、
低レイテンシのユニキャストトラフィック、および
低レイテンシのブロードキャストトラフィック
のうちの１つまたは複数を受信するための手段を備える、Ｃ３３に記載の装置。
[Ｃ３８]  コンピュータプログラム製品であって、
少なくとも１つのコンピュータに、ゲートウェイアクセスポイントから局へ第１の種類のトラフィックを送信することを実行させるコードと、ここで、前記局へと送信されるビーコン信号が前記第１の種類のトラフィックの一部として送信される、
前記少なくとも１つのコンピュータに、少なくとも１つのリレーアクセスポイントを介して前記ゲートウェイアクセスポイントから前記局へ第２の種類のトラフィックを送信することを実行させるコードと、
を備える非一時的なコンピュータ可読媒体を備える、コンピュータプログラム製品。
[Ｃ３９]  コンピュータプログラム製品であって、
少なくとも１つのコンピュータに、局においてゲートウェイアクセスポイントから第１の種類のトラフィックを直接受信することを実行させるコードと、ここで、前記局によって受信されるビーコン信号が前記第１の種類のトラフィックの一部として受信される、
前記少なくとも１つのコンピュータに、前記局において少なくとも１つのリレーアクセスポイントを介して前記ゲートウェイアクセスポイントから第２の種類のトラフィックを受信することを実行させるコードと、
を備える非一時的なコンピュータ可読媒体を備える、コンピュータプログラム製品。